(57)【要約】【課題】ストッパ部材を用いずにバッテリパックをバッテリ室内に固定する。【解決手段】デジタルカメラ１０のバッテリ収納ユニット２７を、バッテリ挿入口３３と、装填蓋３４と、バッテリ室３６とから構成する。バッテリ室３６内のバッテリ挿入口３３の鉛直下方にガイドリブ４５を設ける。バッテリ挿入口３３と対向する位置からずれた位置に、バッテリパック２８の第１端部２９が嵌合する第１端部嵌合部４３を形成する。第１端部嵌合部４３と対向する位置に、バッテリ挿入口３３の縁の一部を形成するフランジ５２を設ける。バッテリパック２８の第１端部２９を第１端部嵌合部４３に嵌合させた時に、バッテリパック２８の第１端部２９と反対側の第２端部３１にフランジ５２を当接させる。ストッパ部材を用いることなくバッテリパック２８をバッテリ室３６内に固定することができる。【選択図】図４
2007128725.tif 000002
【特許請求の範囲】
【請求項１】
電池が交換自在に収納される電池室を筐体内に有する電子機器において、
前記筐体の外面に露呈され、前記電池室に連通する前記電池の挿入口と、
前記電池室内の前記挿入口に対向する位置からずれた位置に設けられ、前記電池の挿入方向前側の第１端部が嵌合する第１嵌合部と、
前記電池室を形成する壁部材と一体に形成され、前記挿入口より挿入された前記電池の第１端部を前記第１嵌合部に嵌合させた時に、前記第１嵌合部に対向する位置で前記電池の挿入方向後側の第２端部の少なくとも端面に当接して、前記電池をその第１端部が前記第１嵌合部に嵌合された状態で保持する保持部材とを有することを特徴とする電子機器。
【請求項２】
前記挿入口に対する前記第１嵌合部のずれ方向に沿う前記挿入口の寸法が、前記ずれ方向に沿う前記第１嵌合部の嵌合口の寸法よりも大きいことを特徴とする請求項１記載の電子機器。
【請求項３】
前記保持部材は、前記挿入口の縁の一部を形成することを特徴とする請求項１または２記載の電子機器。
【請求項４】
前記保持部材は、前記電池の記第２端部の端面の少なくとも一部が前記挿入口より露呈されるように、前記第２端部の端面に当接することを特徴とする請求項１ないし３記載の電子機器。
【請求項５】
前記筐体に設けられ、前記挿入口を開放する開き位置、及び前記挿入口を塞ぐ閉じ位置の間で回動自在な蓋体と、
前記蓋体の前記挿入口と対向する側の面に設けられ、前記蓋体が前記閉じ位置にある時に、前記第２端部により保持されている前記電池に当接してそのガタつきを防止するガタつき防止部材とを有することを特徴とする請求項１ないし４いずれか１項記載の電子機器。
【請求項６】
前記電池の外面と、前記壁部材の壁面または前記保持部材の前記第１嵌合部に対向する面とのいずれか一方の面に被嵌合部を設けるとともに、他方の面に前記電池が前記保持部材により保持されたときに前記被嵌合部に嵌合する第２嵌合部を設けることを特徴とする請求項１ないし５いずれか１項記載の電子機器。
【請求項７】
前記嵌合部及び被嵌合部の寸法、位置、形状、数の少なくともいずれか１つが、前記電池の種類に応じて変えられていることを特徴とする請求項６記載の電子機器。
【請求項８】
前記電池の外面には、前記電池の挿入方向を示すマーカが記されていることを特徴とする請求項１ないし７いずれか１項記載の電子機器。
【請求項９】
前記電池室内に、前記挿入口より挿入された前記電池の第１端部を前記第１嵌合部に向けて案内するガイド部材が設けられていることを特徴とする請求項１ないし８いずれか１項記載の電子機器。
【請求項１０】
請求項９記載の電子機器の前記電池室内に前記電池を装着する電池装着方法において、
前記電池を前記挿入口より前記電池室内に挿入する第１のステップと、
前記電池の前記第１端部が前記ガイド部材を介して前記第１嵌合部の嵌合口に案内されるように前記電池を押圧する第２のステップと、
前記第１端部が前記第１嵌合部の嵌合口内に挿入されたら、前記電池の押圧を継続しつつ、第１嵌合部を中心として前記電池をその前記第２端部が前記保持部材に当接する方向に回動させる第３のステップと、
前記保持部材を前記第２の端部の少なくとも端面に当接させて、前記電池をその第１端部が前記第１嵌合部に嵌合された状態で保持させる第４のステップとからなることを特徴とする電池装着方法。
【発明の詳細な説明】
【技術分野】
【０００１】
本発明は、電池が交換自在に装着される電池室を有する電子機器、及びこの電池室に電池を装着する電池装着方法に関するものである。
【背景技術】
【０００２】
デジタルカメラなどの屋外使用を前提とした小型の電子機器では、電源としてバッテリパックが用いられるのが通常である。そのため、電子機器の筐体内には、バッテリパックが装着されるバッテリ室が設けられている。そして、バッテリパックは筐体の外面に形成されたバッテリ挿入口よりバッテリ室内に挿入される。このバッテリ挿入口の近傍には、所定位置まで挿入されたバッテリパックを係止するストッパ部材が設けられている（特許文献１参照）。
【０００３】
ストッパ部材はその先端に鉤形の爪部を有している。この爪部はバッテリパックの移動軌跡上に突出されている。そして、バッテリ室の底部に設けられた排出コイルバネのバネ力で常時排出側に付勢されているバッテリパックを爪部で係止することで、パックの飛び出しを防止している。また、バッテリパック交換時にはストッパ部材による係止を解除する。これにより、バッテリパックの一部がバッテリ挿入口より飛び出すので、バッテリパックの交換を容易に行うことができる。
【特許文献１】特開２００５−１７４９１９号公報（第９頁、第５図参照）
【発明の開示】
【発明が解決しようとする課題】
【０００４】
ところで、近年ではデジタルカメラなどの電子機器の更なる小型化に伴い、前記特許文献１に記載されているようなストッパ部材も小型化されている。ストッパ部材が小型化されると、ストッパ部材によるバッテリパックの係止を解除する解除作業がやり難くなってしまう。また、ストッパ部材による係止を解除した際に、排出コイルバネのバネ力により飛び出したバッテリパックがユーザの指に当たって、ユーザに不快感を与えてしまうという問題も発生する。
【０００５】
本発明は上記問題を解決するためのものであり、ストッパ部材等を用いることなくバッテリパックをバッテリ室内に固定（保持）可能な電子機器、及びこの電子機器のバッテリ室内にバッテリパック等の電池を装着する電池装着方法に関するものである。
【課題を解決するための手段】
【０００６】
本発明は、電池が交換自在に収納される電池室を筐体内に有する電子機器において、前記筐体の外面に露呈され、前記電池室に連通する前記電池の挿入口と、前記電池室内の前記挿入口に対向する位置からずれた位置に設けられ、前記電池の挿入方向前側の第１端部が嵌合する第１嵌合部と、前記電池室を形成する壁部材と一体に形成され、前記挿入口より挿入された前記電池の第１端部を前記第１嵌合部に嵌合させた時に、前記第１嵌合部に対向する位置で前記電池の挿入方向後側の第２端部の少なくとも端面に当接して、前記電池をその第１端部が前記第１嵌合部に嵌合された状態で保持する保持部材とを有することを特徴とする。
【０００７】
前記挿入口に対する前記第１嵌合部のずれ方向に沿う前記挿入口の寸法が、前記ずれ方向に沿う前記第１嵌合部の嵌合口の寸法よりも大きいことが好ましい。また、前記保持部材は、前記挿入口の縁の一部を形成することが好ましい。また、前記保持部材は、前記電池の記第２端部の端面の少なくとも一部が前記挿入口より露呈されるように、前記第２端部の端面に当接することが好ましい。
【０００８】
前記筐体に設けられ、前記挿入口を開放する開き位置、及び前記挿入口を塞ぐ閉じ位置の間で回動自在な蓋体と、前記蓋体の前記挿入口と対向する側の面に設けられ、前記蓋体が前記閉じ位置にある時に、前記第２端部により保持されている前記電池に当接してそのガタつきを防止するガタつき防止部材とを有することが好ましい。
【０００９】
前記電池の外面と、前記壁部材の壁面または前記保持部材の前記第１嵌合部に対向する面とのいずれか一方の面に被嵌合部を設けるとともに、他方の面に前記電池が前記保持部材により保持されたときに前記被嵌合部に嵌合する第２嵌合部を設けることが好ましい。さらに、前記嵌合部及び被嵌合部の寸法、位置、形状、数の少なくともいずれか１つが、前記電池の種類に応じて変えられていることが好ましい。
【００１０】
前記電池の外面には、前記電池の挿入方向を示すマーカが記されていることが好ましい。また、前記電池室内に、前記挿入口より挿入された前記電池の第１端部を前記第１嵌合部に向けて案内するガイド部材が設けられていることが好ましい。
【００１１】
また、本発明は、請求項９記載の電子機器の前記電池室内に前記電池を装着する電池収納方法において、前記電池を前記挿入口より前記電池室内に挿入する第１のステップと、前記電池の前記第１端部が前記ガイド部材を介して前記第１嵌合部の嵌合口に案内されるように前記電池を押圧する第２のステップと、前記第１端部が前記第１嵌合部の嵌合口内に挿入されたら、前記電池の押圧を継続しつつ、第１嵌合部を中心として前記電池をその前記第２端部が前記保持部材に当接する方向に回動させる第３のステップと、前記保持部材を前記第２の端部の少なくとも端面に当接させて、前記電池をその第１端部が前記第１嵌合部に嵌合された状態で保持させる第４のステップとからなることを特徴とする。
【発明の効果】
【００１２】
本発明の電子機器は、電池室を有する筐体の外面に露呈された電池の挿入口と、前記電池室内の前記挿入口に対向する位置からずれた位置に設けられ、前記電池の挿入方向前側の第１端部が嵌合する第１嵌合部と、前記電池室を形成する壁部材と一体に形成され、前記電池の第１端部を前記第１嵌合部に嵌合させた時に、前記第１嵌合部に対向する位置で前記電池の挿入方向後側の第２端部に当接する保持部材とを有するので、従来のように前記挿入口の近傍にストッパ部材を設けることなく電池を電池室内で固定できる。その結果、電子機器の部品数を減らして、その製造工程数を削減することができる。
【００１３】
また、従来のように小型化されたストッパ部材を操作して電池の係止解除を行う必要がなくなるので、電池の取り出し作業を簡単に行うことができる。さらに、電池の取り出し作業をユーザが電池の第２端部を押圧しながら行うことになるので、従来のようにストッパ部材による係止を解除するのと同時に飛び出した電池がユーザの指に当たって、ユーザに不快感を与えることが防止される。
【００１４】
また、前記挿入口を開放する開き位置、及び前記挿入口を塞ぐ閉じ位置の間で回動自在な蓋体と、前記蓋体が前記閉じ位置にある時に、前記第２端部により保持されている前記電池に当接するガタつき防止部材とを有するので、前記電池室内に装着された前記電池のガタつきを防止することができる。
【００１５】
また、前記電池と、前記壁部材または前記保持部材とのいずれか一方に被嵌合部を設けるとともに、他方に前記被嵌合部に嵌合する第２嵌合部を設けるようにしたので、同様に前記電池のガタつきを防止することができる。
【００１６】
さらに、前記嵌合部及び被嵌合部の寸法、位置、形状、数の少なくともいずれか１つを前記電池の種類に応じて変えるようにしたので、前記電池の誤装着を防止することができる。
【００１７】
本発明の電池装着方法は、電池を電池室内に挿入する第１のステップと、前記電池の前記第１端部が前記第１嵌合部に案内されるように前記電池を押圧する第２のステップと、前記第１端部が前記第１嵌合部の嵌合口内に挿入されたら、前記電池の押圧を継続しつつ、第１嵌合部を中心として前記電池を回動させる第３のステップと、前記保持部材を前記第２の端部の少なくとも端面に当接させて、前記電池をその第１端部が前記第１嵌合部に嵌合された状態で保持させる第４のステップとからなるので、前記第１嵌合部を前記挿入口に対向する位置からずれた位置に設けた場合でも、前記電池を前記電池室に簡単に装着することができる。
【発明を実施するための最良の形態】
【００１８】
図１は、本発明の電子機器であるデジタルカメラ１０の正面斜視図を示したものであり、図２は、デジタルカメラ１０の背面斜視図を示したものである。このデジタルカメラ１０の筐体（カバー）１１の前面には、撮影レンズ１４が組み込まれたレンズ鏡筒１５と、ファインダ１６を構成する対物側ファインダ窓１７と、被写体に向けてストロボ光を照射するストロボ発光部１８と、シャッタレリーズ操作に用いられるシャッタボタン１９とが設けられている。レンズ鏡筒１５は、デジタルカメラ１０が電源オフ状態にある時には筐体１１内に収納され、電源オンとともに筐体１１の前面から突出する。
【００１９】
筐体１１の一方の側面には、メモリカード２１がセットされるメモリカードスロット２２が設けられている。メモリカードスロット２２は、開閉式の保護カバー２３によって保護されている。また、筐体１１の背面には、ファインダ１６を構成する接眼側ファインダ窓２４と、複数の操作ボタンからなる操作部２５と、ビューファインダとして機能する画像表示用ＬＣＤ２６とが設けられている。
【００２０】
筐体１１内には、各種撮影機構が組み込まれたカメラ本体（図示せず）の他にバッテリ収納ユニット２７が組み込まれている。このバッテリ収納ユニット２７には、デジタルカメラ１０の各部に電力を供給するバッテリパック２８が装着される。バッテリパック２８は充電可能な２次電池であり、本実施形態では略長方体形状に形成されている。このバッテリパック２８には、その挿入方向前側の第１端部２９の端面２９ａに複数の電極端子３０（図１参照）が形成されている。なお、図中の符号３１は、バッテリパック２８の挿入方向後側の第２端部である。
【００２１】
図３は、バッテリ収納ユニット２７の外観斜視図を示したものであり、筐体１１をその底面側から見た図である。図４は、図３中のＩＶ−ＩＶ線に沿う断面図を示したものである。このバッテリ収納ユニット２７は、バッテリ挿入口３３と、装填蓋３４と、蓋ロックスイッチ３５と、バッテリ室３６とから構成される。
【００２２】
バッテリ挿入口３３は、筐体１１の底面に形成されており、バッテリ室３６に連通している。このバッテリ挿入口３３は、筐体１１の底面に回動自在に取り付けられた装填蓋３４により開閉される。装填蓋３４は、バッテリ挿入口３３を開放する開き位置（図３参照）と、バッテリ挿入口３３を塞ぐ閉じ位置（図８参照）との間で回動される。この装填蓋３４のバッテリ挿入口３３に対向する側の面（以下、単に裏面という）３４ａ上には、詳しくは後述するガタつき防止リブ３８が設けられている。
【００２３】
蓋ロックスイッチ３５はスライド式のスイッチである。装填蓋３４が閉じ位置にある状態で蓋ロックスイッチ３５をスライド操作すると、ロックピン３５ａが装填蓋３４に向けて突出される。装填蓋３４にはロックピン３５ａが嵌合する嵌合穴３４ｂ（図８参照）が形成されている。そして、この嵌合穴３４ｂにロックピン３５ａが嵌合することで、装填蓋３４が閉じ位置の状態で固定される。
【００２４】
バッテリ室３６は、筐体１１の前面を形成する外壁部材４０と、及び筐体１１内に設けられた内壁部材４１，４２とにより形成される。具体的には、外壁部材４０の内壁面４０ａ及び内壁部材４１の壁面４１ａによりバッテリ室３６の側面が形成され、内壁部材４２の壁面４２ａによりバッテリ室３６の底面が形成される。なお、以下の説明では、この内壁面４０ａに垂直な方向をＸ方向と定義し、パック挿入方向に対して平行な方向をＺ方向と定義し、ＸＺ両方向に垂直な方向をＹ方向と定義して説明を行う（図３参照）。本実施形態では、バッテリ室３６の図中Ｙ方向及びＺ方向の寸法はバッテリパック２８の寸法とほぼ同じに形成され、その図中Ｘ方向の寸法はバッテリパック２８の寸法よりも大きく形成されている。
【００２５】
バッテリ室３６内には、挿入されたバッテリパック２８の第１端部２９が嵌合する第１端部嵌合部４３が設けられている。第１端部嵌合部４３は、本発明の第１嵌合部に相当するものであり、バッテリ挿入口３３に対向する位置から図中Ｘ方向にずれた位置に設けられている。そして、この第１端部嵌合部４３は、バッテリ挿入口３３の鉛直下方に設けられたガイドリブ４５により形成されている。
【００２６】
ガイドリブ４５は、嵌合部形成部４６とガイド部４７とが一体形成されたものである。嵌合部形成部４６は、外壁部材４０の内壁面４０ａに平行な平坦面４６ａを有している。そして、嵌合部形成部４６の平坦面４６ａと、内壁部材４１の壁面４１ａと、内壁部材４２の壁面４２ａとの間に形成される隙間が第１端部嵌合部４３となる。なお、図４中の符号４３ａは、第１端部嵌合部４３の嵌合口である。
【００２７】
ガイド部４７は、バッテリ挿入口３３から遠ざかるのに従い内壁面４０ａから遠ざかるような傾斜面４７ａを有している。この傾斜面４７ａは、嵌合部形成部４６の平坦面４６ａに連なっている。つまり、傾斜面４７ａは、バッテリ挿入口３３内に挿入されたバッテリパック２８の第１端部２９を第１端部嵌合部４３に向けて案内する。
【００２８】
具体的には、バッテリパック２８をその第１端部２９側からバッテリ挿入口３３内に挿入する。次いで、図５に示すように、バッテリパック２８の第２端部３１（端面３１ａ）を押圧すると、パック２８の第１端部２９は内壁面４０ａ、傾斜面４７ａに順に沿って第１端部嵌合部４３に向けて案内される。なお、バッテリパック２８の側面にはパック挿入方向を示すマーカ４８が記されているので、ユーザはマーカ４８に従ってバッテリパック２８の挿入を行うことができる。
【００２９】
バッテリパック２８の第２端部３１の押圧を続けると、第１端部２９が第１端部嵌合部４３の嵌合口４３ａに斜めに挿入される。このようにバッテリパック２８を斜めに挿入可能にするため、バッテリ挿入口３３の図中Ｘ方向に沿う長さＬ１は、第１端部嵌合部４３の嵌合口４３ａのＸ方向に沿う長さＬ２よりも長く形成されている（図４参照）。
【００３０】
第１端部嵌合部４３内には、切片４９と、排出コイルバネ５０とが設けられている。切片４９は、パック２８の電極端子３０に当接して、バッテリバック２８の電力をデジタルカメラ１０の各部に供給する。排出コイルバネ５０は、そのバネ力でバッテリパック２８を鉛直上方（図中Ｚ方向）に付勢する。
【００３１】
第１端部嵌合部４３と対向する位置、つまり、その鉛直上方には、内壁部材４１と一体に形成されたパック保持用フランジ（以下、単にフランジという）５２が設けられている。フランジ５２はバッテリ挿入口３３の縁の一部を形成する。そして、このフランジ５２は、バッテリパック２８の第１端部２９が第１端部嵌合部４３に嵌合された時に、第２端部３１の端面３１ａに当接する。
【００３２】
具体的には、嵌合口４３ａに斜めに挿入されたバッテリパック２８を引き続き押圧すると、第１端部２９に押圧されて切片４９が弾性変形される。また、この押圧で排出コイルバネ５０が縮められる。次いで、図６に示すように、バッテリパック２８の押圧を継続しつつ、第１端部嵌合部４３を中心としてバッテリパック２８をその第２端部３１がフランジ５２に向かう方向に回動させる。
【００３３】
バッテリパック２８が回動されると、その第１端部２９が第１端部嵌合部４３に嵌合される。図７に示すように、バッテリパック２８は切片４９の弾性力、及び排出コイルバネ５０のバネ力でフランジ５２に向かう方向（Ｚ方向）に付勢される。これにより、フランジ５２がバッテリパック２８の第２端部３１の端面３１ａに当接するので、バッテリパック２８は、その第１端部２９が第１端部嵌合部４３に嵌合された状態で保持される。その結果、バッテリパック２８は、バッテリ室３６内でＺ方向（図３参照）に対して平行な姿勢で固定される。
【００３４】
この際に、フランジ５２がバッテリパック２８の第２端部３１の端面３１ａの全面を覆ってしまうと、バッテリ室３６内からバッテリパック２８を取り出す作業が面倒になってしまう。そのため、フランジ５２が第２端部３１の端面３１ａに当接した際に、この端面３１ａの少なくとも一部がバッテリ挿入口３３より露呈されるようにする。具体的には、フランジ５２の寸法や形状を調整すればよい。
【００３５】
図８に示すように、バッテリパック２８がバッテリ室３６内に固定されたら、装填蓋３４を閉じ位置に回動させる。この際に、装填蓋３４の裏面３４ａ上には上述のガタつき防止リブ３８が設けられている。このガタつき防止リブ３８は、装填蓋３４が閉じ位置に回動された時に、バッテリパック２８の内壁面４０ａと対向する側の側面に当接する。これにより、バッテリパック２８のガタつきを防止することができる。
【００３６】
以上で、バッテリパック２８のバッテリ室３６内への収納が完了する。このバッテリパック２８を取り出す際には装填蓋３４を回動させる。この回動後に、バッテリ挿入口３３より露呈されているバッテリパック２８の第２端部３１を第１端部嵌合部４３に向かう方向に押圧する。この押圧で切片４９が弾性変形されるとともに、排出コイルバネ５０が縮められて、フランジ５２と第２端部３１の端面３１ａとの当接が解除される。そして、この押圧を継続しつつ、第１端部嵌合部４３を中心としてバッテリパック２８を収納時と反対の方向に回動させる。次いで、バッテリパック２８の押圧を解除する。排出コイルバネ５０のバネ力でバッテリパック２８の第２端部３１がバッテリ挿入口３３より飛び出すため、バッテリパック２８の取り出しを容易に行うことができる。
【００３７】
次に、本実施形態のデジタルカメラ１０のバッテリ室３６にバッテリパック２８を装着する手順について説明を行う。最初にユーザは、装填蓋３２を開き位置に回動させる。次いで、ユーザは、バッテリパック２８をその第１端部２９側からバッテリ挿入口３３内に挿入して、第２端部３１の端面３１ａを押圧する。これにより、バッテリパック２８の第１端部２９が、ガイドリブ４５の傾斜面４７ａに沿って第１端部嵌合部４３に向けて案内される（図５参照）。そして、バッテリパック２８の第１端部２９が嵌合口４３ａに斜めに挿入される。
【００３８】
次いで、ユーザは、バッテリパック２８の押圧を継続しつつ、第１端部嵌合部４３を中心としてバッテリパック２８をその第２端部３１がフランジ５２に向かう方向に回動させる（図６参照）。これにより、バッテリパック２８の第１端部２９が第１端部嵌合部４３に嵌合される。このとき、バッテリパック２８は、切片４９の弾性力及び排出コイルバネ５０のバネ力でフランジ５２に向かう方向に付勢されるので、第２端部３１の端面３１ａにフランジ５２が当接する。これにより、バッテリパック２８はバッテリ室３６内でＺ方向（パック挿入方向）対して平行な姿勢で固定される（図７参照）。
【００３９】
バッテリパック２８がバッテリ室３６内に固定されたら、装填蓋３４を閉じ位置に回動させる。これにより、装填蓋３４のガタつき防止リブ３８がバッテリパック２８に当接して、バッテリパック２８のガタつきが防止される（図８参照）。以上で、バッテリパック２８のバッテリ室３６内への装着が完了する。
【００４０】
また、逆にバッテリパック２８をバッテリ室３６内から取り出す際には、装填蓋３４を開き位置に回動させる。この回動後に、ユーザはバッテリパック２８の第２端部３１の端面３１ａを押圧しつつ、第１端部嵌合部４３を中心としてバッテリパック２８を収納時と反対の方向に回動させる。次いで、ユーザがバッテリパック２８の押圧を解除すると、排出コイルバネ５０のバネ力でバッテリパック２８の第２端部３１がバッテリ挿入口３３より飛び出す。ユーザは、バッテリ挿入口３３より飛び出した第２端部３１を把持して、バッテリパック２８をバッテリ室３６から取り出す。そして、新たなバッテリパック２８や再充電されたパック２８を上述の装着手順に従ってバッテリ室３６内に装着する。
【００４１】
このように本実施形態では、バッテリ挿入口３３に対向する位置からずれた位置にある第１端部嵌合部４３にバッテリパック２８の第１端部２９を嵌合させて、フランジ５２をバッテリパック２８の第２端部３１に当接させることで、バッテリパック２８をバッテリ室３６内で固定できる。これにより、従来のようにバッテリ挿入口３３の近傍にストッパ部材を設ける必要が無くなる。その結果、デジタルカメラ１０の部品数を減らして、その製造工程数を削減することができる。
【００４２】
また、バッテリ室３６内に装着されたバッテリパック２８を押圧しながら回動させるだけで、このバッテリパック２８をバッテリ室３６から取り出すことができる。そのため、従来のように小型化されたストッパ部材を操作して、バッテリパック２８の係止解除を行う必要がなくなる。その結果、バッテリパック２８の取り出し作業を簡単に行うことができる。
【００４３】
さらに、取り出し作業をバッテリパック２８の第２端部３１を押圧しながら行うことになるので、フランジ５２と第２端部３１との当接が解除された時にバッテリパック２８がバッテリ挿入口３３から飛び出すことも無くなる。その結果、従来のようにバッテリ挿入口３３から飛び出したバッテリパック２８がユーザの指に当たって、ユーザに不快感を与えることが防止される。
【００４４】
なお、上記施形態では、装填蓋３４に設けられたガタとり防止リブ３８を用いてバッテリパック２８のガタつきを防止しているが、本発明はこれに限定されるものではない。例えば、図９及び図１０に示すように、バッテリパック２８の第２端部３１の端面３１ａに、本発明の被嵌合部に相当する凹部６０を設ける。また、フランジ５２に、本発明の第２嵌合部に相当し、凹部６０に嵌合する形状の凸部６１を設ける。そして、バッテリパック２８の端面３１ａにフランジ５２が当接したときに、凸部６１が凹部６０に嵌合するように両者の位置調整を行う。ここで、凹部６０は矩形状に形成されているが、その形状は特に限定はされない。
【００４５】
バッテリパック２８は、上述したように切片４９の弾性力及び排出コイルバネ５０のバネ力でフランジ５２に向かう方向に付勢される（図８参照）。このため、凹部６０への凸部６１の嵌合は維持されるので、バッテリパック２８のガタつきを防止することができる。両者の嵌合は、バッテリパック２８を第１端部嵌合部４３に向かう方向に押圧することで解除できるため、バッテリパック２８の取り出しに影響を及ぼすおそれはない。
【００４６】
また、ガタとり防止リブ３８を用いずにバッテリパック２８のガタつきを防止する方法として、例えば図１１に示すように、第２端部３１の内壁部材４１と対向する側のコーナ部を切り欠いて切欠き６３を形成する。また、内壁部材４１の壁面４１ａ（図３参照）に切欠き６３に嵌合する爪部６４を設ける。そして、バッテリパック２８の端面３１ａにフランジ５２が当接したときに、切欠き６３に爪部６４が嵌合するように両者を位置調整する。これにより、上述の凹部６０及び凸部６１を設けた場合と同様の効果が得られる。
【００４７】
さらに、例えば図１２に示すように、バッテリパック２８のＺ方向（図３参照）に対して平行な側面により形成される４コーナ部のうち内壁部材４１と対向する２コーナ部の一部を切り欠いて切欠き６６ａ，６６ｂを形成する。また、内壁部材４１の壁面４１ａに、切欠き６６ａ，６６ｂに嵌合する爪部６７ａ，６７ｂを設ける。この場合も同様に、バッテリパック２８を押圧しながら回動させたときに、切欠き６６ａ，６６ｂに爪部６７ａ，６７ｂがそれぞれ嵌合するように両者の位置調整を行えばよい。
【００４８】
なお、上記実施形態のようにデジタルカメラ１０の電源として略長方体形状のバッテリパック２８を装着する際に、このパック２８と同形状ではあるが電圧や容量が異なる異種類のバッテリパックを誤って装着するおそれがある。異種類のバッテリパックを誤装着すると、デジタルカメラ１０が故障してしまう。これを防止するため、例えば上述のガタつき防止用の凹部６０（図９及び図１０参照）を第２端部３１の端面３１ａに設ける際に、この凹部６０の位置をバッテリパックの種類に応じて変える。
【００４９】
例えば、図１３（Ａ）〜１３（Ｃ）に示すように、同形状ではあるが電圧や容量が異なる３種類のバッテリパック７０，７１，７２がある場合には、それぞれのパック７０，７１，７２の端面３１ａに設けられる凹部６０の位置を他と異なるようにする。また、各バッテリ７０，７１，７２に設けられる凹部６０の位置に応じて、対応するデジタルカメラのフランジ５２に設けられる凸部６１の位置を調整する。これにより、バッテリパックのガタつきを防止しつつ、異なる種類のバッテリパックの誤装着を防止できる。なお、このように凹部６０の位置を変える場合には、各パック７０，７１，７２の挿入方向を示し、且つユーザが凹部６０の位置を容易に判別可能なマーカ７３を各パック７０，７１，７２に記す。これにより、凹部６０の位置を変えた場合でも、各パック７０，７１，７２の挿入及び取り出し操作に支障をきたすおそれが無くなる。
【００５０】
また、異なる種類のバッテリパックの誤装着を防止する方法として、例えば図１４に示すように、凹部６０の図中Ｘ方向（図３参照）に沿う寸法Ｌ３と、図中Ｙ方向に沿う寸法Ｌ４をバッテリパックの種類に応じて変える。また、凹部６０の寸法に応じて、対応するデジタルカメラのフランジ５２に設けられる凸部６１の寸法も変える。これにより、同様にバッテリパックのガタつきを防止しつつ、異なる種類のバッテリパックの誤装着を防止できる。
【００５１】
なお、上記のバッテリパックの誤装着を防止する方法では、矩形状の凹部６０（凸部６１）の位置や寸法を変えているが、本発明はこれに限定されるものではない。例えば図１５に示すように、バッテリパック２８の端面３１ａに複数の凹部７５を設ける。そして、この凹部７５を設ける数をバッテリパックの種類に応じて変える。この際に、凹部７５の形状や位置を変えるようにしてもよい。さらに、三角形状、円形状、及び矩形状などの各種形状の凹部を組み合せて設けるようにしてもよい。この場合も対応するデジタルカメラのフランジ５２に、各凹部７５に嵌合する複数の凸部７６を形成する。同様にバッテリパックのガタつきを防止しつつ、異なる種類のバッテリパックの誤装着を防止できる。
【００５２】
また、上記実施形態では異なる種類のバッテリパックの誤装着を防止するために、バッテリパック２８の端面３１ａに矩形状の凹部６０（凹部７５）を設けているが、本発明はこれに限定されるものでない。例えば図１６に示すように、バッテリパック２８の端面３１ａに凹溝７９を設けてもよい。ここで、凹溝７９はＹ方向（図３参照）に対して平行に設けられているが、その向きは特に限定されるものではない。また、その断面形状も特に限定はされない。そして、凹溝７９を設ける場合には、バッテリパックの種類に応じて凹溝７９の位置、つまり、この凹溝７９の両側の溝凸部７９ａ，７９ｂの幅Ｗ１、Ｗ２を変える。また、凹溝７９の幅Ｗ３を変えてもよい。そして、対応するデジタルカメラのフランジ５２に、凹溝７９に嵌合する凸部８０を形成する。これにより、同様にバッテリパック２８のガタつきを防止しつつ、異なる種類のバッテリパックの誤装着を防止できる。
【００５３】
なお、上記実施形態では、バッテリパック２８として略長方体形状のものを例に挙げて説明を行ったが、その形状は特に限定されるものではなく、例えば略円筒形状のバッテリパックを使用している場合でも本発明を適用することができる。また、２次電池であるバッテリパック２８の代わりに１次電池を使用する場合でも同様に本発明を適用することができる。
【００５４】
また、上記実施形態では、フランジ５２がバッテリ挿入口３３の縁の一部を形成しているが、本発明はこれに限定されるものではなく、フランジ５２がバッテリ室３６内に設けられていてもよい。
【００５５】
なお、上記実施形態では、バッテリ室３６内でバッテリパック２８をＺ方向（パック挿入方向）に対して平行な状態で固定（図７参照）しているが、本発明はこれに限定されるものではない。例えば、バッテリパック２８がＺ方向に対して傾き角度を有する状態で固定されるように、第１端部嵌合部４３及びフランジ５２が形成されていてもよい。
【００５６】
また、上記実施形態では、バッテリ室３６内にガイドリブ４５を設けることで、第１端部嵌合部４３を形成しつつ、バッテリ挿入口３３より挿入されたバッテリパック２８を第１端部嵌合部４３に案内するようにしているが、本発明はこれに限定されるものではない。例えば、金属材料や樹脂材料からなる弾性片を屈曲させたものをガイドリブ４５の代わりに用いるようにしてもよい。さらに、装填蓋３４にガタとり防止リブ３８を設ける代わりに上述の弾性片を設けて、バッテリパック２８のガタつきを防止するようにしてもよい。
【００５７】
また、上記実施形態では、電源としてバッテリパック２８を用いるデジタルカメラ１０を例に挙げて説明を行ったが、本発明は、デジタルビデオカメラ、携帯情報端末、携帯用パソコン、携帯用音楽再生装置、ＰＤＡなどの電源としてバッテリパック（電池）を用いる各種電子機器にも適用することができる。
【図面の簡単な説明】
【００５８】
【図１】本発明の電子機器に相当するデジタルカメラの正面斜視図である。
【図２】デジタルカメラの背面斜視図である。
【図３】バッテリ室の外観斜視図である。
【図４】図３のＩＶ−ＩＶ線に沿う断面図である。
【図５】バッテリ収納ユニットの断面図であり、バッテリパックがガイドリブにより第１端部嵌合部に向けて案内されている状態を示した図である。
【図６】バッテリ収納ユニットの断面図であり、バッテリパックを押圧しつつ、回動させている状態を示した図である。
【図７】バッテリ収納ユニットの断面図であり、バッテリパックがバッテリ室内で固定された状態を示した図である。
【図８】バッテリ収納ユニットの断面図であり、装填蓋を閉じ位置に回動させた状態を示した図である。
【図９】バッテリパックの端面に凹部を設けるとともに、バッテリ挿入口の縁の一部を形成するフランジに凸部を設けた他の実施形態のバッテリ収納ユニットの外観斜視図である。
【図１０】図９のバッテリ収納ユニットの断面図であり、バッテリパックの端面の凹部にフランジの凸部が嵌合した状態を示した図である。
【図１１】バッテリパックに切欠きを形成し、バッテリ室を形成する内壁部材に爪部材を設けた他の実施形態のバッテリ収納ユニットの断面図である。
【図１２】バッテリパックに切欠きを形成し、バッテリ室を形成する内壁部材に爪部材を設けた図１１とは異なる実施形態のバッテリ収納ユニットの断面図である。
【図１３】バッテリパックの誤装着を防止するために、凸部及び凹部の位置をバッテリパックの種類に応じて変えたことを説明するための説明図である。
【図１４】バッテリパックの誤装着を防止するために、凸部及び凹部のサイズを変えたことを説明するための説明図である。
【図１５】バッテリパックの誤装着を防止するために、凸部及び凹部の数を変えたことを説明するための説明図である。
【図１６】バッテリパックの端面の凹溝を形成し、この溝のサイズや位置をバッテリパックの種類に応じて変えたことを説明するための説明図である。
【符号の説明】
【００５９】
１０  デジタルカメラ
１１  筐体
２８  バッテリパック
２９  第１端部
３１  第２端部
３３  バッテリ挿入口
３４  装填蓋
３６  バッテリ室
３８  ガタつき防止リブ
４３  第１端部嵌合部
４５  ガイドリブ
４７ａ  傾斜面
５２  フランジ
【図１】
2007128725.tif 000003
【図２】
2007128725.tif 000004
【図３】
2007128725.tif 000005
【図４】
2007128725.tif 000006
【図５】
2007128725.tif 000007
【図６】
2007128725.tif 000008
【図７】
2007128725.tif 000009
【図８】
2007128725.tif 000010
【図９】
2007128725.tif 000011
【図１０】
2007128725.tif 000012
【図１１】
2007128725.tif 000013
【図１２】
2007128725.tif 000014
【図１３】
2007128725.tif 000015
【図１４】
2007128725.tif 000016
【図１５】
2007128725.tif 000017
【図１６】
2007128725.tif 000018